(57)【要約】【課題】ホイストにワイヤを介して連携移動される移動ロボットを該移動ロボットに無用な外力を加えることなく正確に連携移動せしめ得るとともに、該移動ロボットの転倒予知を正確に成し得るようにして、移動ロボットの転倒の発生を防止できる移動ロボットの転倒防止方法及びその装置の提供【解決手段】移動ロボットの上部を、該移動ロボットの上方に設置された走行レールに沿って走行するホイストに繰り出し巻き取り自在に巻回されたワイヤの下端部に連結し、前記移動ロボットとホイストとが前記ワイヤを介して連携移動せしめるようにした移動ロボットの転倒防止方法において、前記移動ロボットを２軸方向に移動せしめ、前記ホイストを、前記移動ロボットの移動検知信号あるいは移動設定信号により該移動ロボットの移動に追従させて前記２軸方向に走行させることを特徴とする【選択図】　　　図１
2004090126.tif 000002
【特許請求の範囲】
【請求項１】
移動ロボットの上部を、該移動ロボットの上方に設置された走行レールに沿って走行するホイストに繰り出し巻き取り自在に巻回されたワイヤの下端部に連結し、前記移動ロボットとホイストとが前記ワイヤを介して連携移動せしめるようにした移動ロボットの転倒防止方法において、前記移動ロボットを２軸方向に移動せしめ、前記ホイストを、前記移動ロボットの移動検知信号あるいは移動設定信号により該移動ロボットの移動に追従させて前記２軸方向に走行させることを特徴とする移動ロボットの転倒防止方法。
【請求項２】
前記移動ロボットの移動及び前記ホイストの走行時において、前記ホイストと移動ロボットの相対位置が所定量以内になるように前記ワイヤ長さを調整することを特徴とする請求項１記載の移動ロボットの転倒防止方法。
【請求項３】
前記移動ロボットの位置を検出し、該位置検出信号に基づき前記ホイストを該ホイストと前記移動ロボットとの相対位置が所定量以内になるように走行せしめることを特徴とする請求項１または２の何れかの項に記載の移動ロボットの転倒防止方法。
【請求項４】
前記移動ロボットをカメラにより撮像し、この撮像信号に基づき前記ホイストを該ホイストと前記移動ロボットとの相対位置が所定量以内になるように走行せしめることを特徴とする請求項１または２の何れかの項に記載の移動ロボットの転倒防止方法。
【請求項５】
前記移動ロボットの移動マップを予め設定し、前記移動ロボット及びホイストを該移動マップに設定された移動ルートに従い移動せしめることを特徴とする請求項１または２の何れかの項に記載の移動ロボットの転倒防止方法。
【請求項６】
移動ロボットの上部を、該移動ロボットの上方に設置された走行レールに沿って走行するホイストに繰り出し巻き取り自在に巻回されたワイヤの下端部に連結し、前記移動ロボットとホイストとが前記ワイヤを介して連携移動せしめるようにした移動ロボットの転倒防止方法において、前記移動ロボットを２軸方向に移動せしめ、該移動ロボットの移動状態検知信号あるいは前記ワイヤの張力状態検知信号に基づき該移動ロボットの転倒の有無を判定することを特徴とする移動ロボットの転倒防止方法。
【請求項７】
前記移動ロボットの傾斜角を検出し、該傾斜角検出値と予め設定された傾斜角許容値とを比較し、該傾斜角検出値が傾斜角許容値を超えるとき前記移動ロボットの転倒の判定をなすことを特徴とする請求項６記載の移動ロボットの転倒防止方法。
【請求項８】
前記移動ロボットをカメラにより撮像し、この撮像信号に基づき前記移動ロボットと前記ホイストとの位置ずれ量の時間変化率を算出し、該位置ずれ量時間変化率の算出値が予め設定された位置ずれ量時間変化率の許容値を超えるとき前記移動ロボットの転倒の判定をなすことを特徴とする請求項６記載の移動ロボットの転倒防止方法。
【請求項９】
前記ワイヤの張力を検出し、該ワイヤ張力の検出値と予め設定されたワイヤ張力の許容値とを比較し、該ワイヤ張力検出値がワイヤ張力許容値を超えるとき前記移動ロボットの転倒の判定をなすことを特徴とする請求項６記載の移動ロボットの転倒防止方法。
【請求項１０】
前記移動ロボットの移動加速度を検出し、該移動加速度の検出値と予め設定された移動加速度の許容値とを比較し、該移動加速度検出値が移動加速度許容値を超えるとき前記移動ロボットの転倒の判定をなすことを特徴とする請求項６記載の移動ロボットの転倒防止方法。
【請求項１１】
移動ロボットの上部を、該移動ロボットの上方に設置された走行レールに沿って走行するホイストに繰り出し巻き取り自在に巻回されたワイヤの下端部に連結し、前記移動ロボットとホイストとが前記ワイヤを介して連携移動せしめるように構成された移動ロボットの転倒防止装置において、前記移動ロボットの２軸方向への移動状態を検出するロボット移動状態検出手段と、該検出手段から入力される前記ロボット移動状態検出信号に基づき、前記ホイストを前記移動ロボットの移動と連携させて前記２軸方向に追従走行させるコントローラを備えてなることを特徴とする移動ロボットの転倒防止装置。
【請求項１２】
前記ワイヤの長さを検出するワイヤ長さ検出手段を設け、前記コントローラは該検出手段から入力される前記ワイヤ長さ検出信号に基づき前記ホイストと移動ロボットとの相対位置が所定量以内になるように前記ワイヤ長さを調整するように構成されてなることを特徴とする請求項１１記載の移動ロボットの転倒防止装置。
【請求項１３】
移動ロボットの上部を、該移動ロボットの上方に設置された走行レールに沿って走行するホイストに繰り出し巻き取り自在に巻回されたワイヤの下端部に連結し、前記移動ロボットとホイストとが前記ワイヤを介して連携移動せしめるように構成された移動ロボットの転倒防止装置において、前記移動ロボットの移動状態を検出するロボット移動状態検出手段と、該検出手段から入力される前記ロボット移動状態検出信号と予め設定された前記移動ロボットの転倒条件とを突き合わせて該移動状態の検出信号が該転倒条件を満足したとき前記移動ロボットの転倒の判定を行うコントローラを備えてなることを特徴とする移動ロボットの転倒防止装置。
【発明の詳細な説明】
【０００１】
【発明の属する技術分野】
本発明は、２足歩行ロボット、車輪走行ロボット、及びクローラ走行ロボットを含む移動ロボットの移動試験等に適用され、移動ロボットの上部をこれの上方に設けられたワイヤの下端部に連結して該移動ロボットとホイストとがワイヤを介して連携移動せしめるようにした移動ロボットの転倒防止方法及び装置に関する。
【０００２】
【従来の技術】
２足歩行ロボット等の移動動作が不安定に陥り易い移動ロボットの移動試験を行うにあたっては、該移動ロボットの上方に設置したホイスト（天井クレーン）から吊下したワイヤに前記移動ロボットを連結して、移動ロボットが転倒しそうになったとき該ホイストとワイヤにより該移動ロボットを引き戻す手段が提供されている。
【０００３】
図９に示される手段において、２は移動ロボットでこの例では下部に装着されたクローラ２ａにより走行するクローラ走行式移動ロボットとなっている。４及び４ａは前記移動ロボット２の上方にＸ―Ｙ２軸方向に設置されたレールである。１はホイストで、上部に取り付けられた転輪１ａを介して前記レール４に沿って走行するようになっている。前記レール４は、その両端部に取り付けられた転輪４ｂを介してレール４ａに沿って移動可能となっており、従って前記ホイスト１は前記移動ロボット２に対してＸ―Ｙ２軸方向に相対移動可能となる。
【０００４】
３は前記ホイスト１に繰り出し巻き取り自在に巻回されたワイヤで、該ワイヤ３の下端部に吊具６を介して前記移動ロボット２が連結され、前記移動ロボット２とホイスト１とが前記ワイヤ３を介してＸ―Ｙ２軸方向に連携移動せしめられるようになっている。
０６は遠隔操作用のペンダントボックスで、操作線０６ａを介して前記ホイスト１に装着されたホイスト制御ボックス０７に接続され、該ペンダントボックス０６からの操作信号により前記ホイスト１の転輪１ａ及びレール４の転輪４ｂを個別に回転制御するようになっている。尚、前記ペンダントボックス０６からの操作信号を無線にて前記ホイスト制御ボックス０７に伝送するようにしていることもある。
【０００５】
また、移動ロボットの移動制御手段として提供されている特開２００１−２１２７７５号公報（特許文献１）においては、２足走行ロボットにおいて、脚部にて質量を有する物体を蹴る際に物体から脚部に受ける反力をシミュレーションによって予測しておくことにより、物体の質量や反発係数が不明であっても前記反力によってロボットが転倒するのを回避可能に構成されている。
【０００６】
【特許文献１】
特開２００１−２１２７７５号公報
【０００７】
【発明が解決しようとする課題】
図９に示される移動ロボットの移動制御手段にあっては、移動ロボット２に、レール４、４ａに沿ってＸ―Ｙ２軸方向に移動可能なホイスト１をワイヤ３を介して連結し、ペンダントボックス０６からの操作信号により前記ホイスト１を移動ロボット２に連携移動するように操作している。
しかしながら、かかる従来技術にあっては、操作者が移動ロボット２及びホイスト１の運動を目視しながらペンダントボックス０６を操作して該ホイスト１と移動ロボット２とを人為的に連携移動させているため、移動ロボット２とホイスト１とを該移動ロボット２に無用な外力を加えることなく正確に連携移動させるのが困難となる。
このため、操作者の操作誤りによって移動ロボット２とホイスト１との距離が過小になってワイヤ３の張力が過大となり、移動ロボット２が転倒するという事態が発生し易くなる。
また、前記移動ロボット２の移動路に階段等の上下段差がある場合には、移動ロボット２とホイスト１とを連結しているワイヤ３自体の長さ及び張力調整が不可能に近いため、段差移動時に移動ロボット２の転倒が発生しやすい。
【０００８】
また、前記特開２００１−２１２７７５号公報にて提供されている手段にあっては、移動ロボット自体で移動制御を行うものであり、物体から脚部に受ける反力のみによって移動ロボットに過大な力がかかるのを抑制し、該反力によりロボットが転倒するのを回避しているに止まり、移動ロボットにホイストをに連携移動させる手段に比べて、移動ロボットの安定性が不充分であり、殊に移動路に上下段差がある場合には移動ロボットの転倒が発生し易い、
等の問題点を有している。
【０００９】
本発明はかかる従来技術の課題に鑑み、ホイストにワイヤを介して連携移動される移動ロボットを該移動ロボットに無用な外力を加えることなく正確に連携移動せしめ得るとともに、該移動ロボットの転倒予知を正確に成し得るようにして、移動ロボットの転倒の発生を防止できる移動ロボットの転倒防止方法及びその装置を提供することを目的とする。
【００１０】
【課題を解決するための手段】
本発明はかかる課題を解決するため、請求項１記載の発明として、移動ロボットの上部を、該移動ロボットの上方に設置された走行レールに沿って走行するホイストに繰り出し巻き取り自在に巻回されたワイヤの下端部に連結し、前記移動ロボットとホイストとが前記ワイヤを介して連携移動せしめるようにした移動ロボットの転倒防止方法において、前記移動ロボットを２軸方向に移動せしめ、前記ホイストを、前記移動ロボットの移動検知信号あるいは移動設定信号により該移動ロボットの移動に追従させて前記２軸方向に走行させることを特徴とする移動ロボットの転倒防止方法を提案する。
【００１１】
請求項２記載の発明は請求項１に加えて、前記移動ロボットの移動及び前記ホイストの走行時において、前記ホイストと移動ロボットの相対位置が所定量以内になるように前記ワイヤ長さを調整することを特徴とする。
【００１２】
請求項３ないし５記載の発明は請求項１ないし２における移動ロボットの具体的制御方法に係り、請求項３においては前記移動ロボットの位置を検出し、該位置検出信号に基づき、前記ホイストを該ホイストと前記移動ロボットとの相対位置が所定量以内になるように走行せしめる。
【００１３】
請求項４においては、前記移動ロボットをカメラにより撮像し、この撮像信号に基づき、前記ホイストを該ホイストと前記移動ロボットとの相対位置が所定量以内になるように走行せしめる。
【００１４】
請求項５においては、前記移動ロボットの移動マップを予め設定し、前記移動ロボット及びホイストを該移動マップに設定された移動ルートに従い移動せしめる。
【００１５】
請求項１１ないし１２記載の発明は、請求項１〜５の方法を実施する装置の発明に係り、請求項１１記載の発明は、移動ロボットの上部を、該移動ロボットの上方に設置された走行レールに沿って走行するホイストに繰り出し巻き取り自在に巻回されたワイヤの下端部に連結し、前記移動ロボットとホイストとが前記ワイヤを介して連携移動せしめるように構成された移動ロボットの転倒防止装置において、前記移動ロボットの２軸方向への移動状態を検出するロボット移動状態検出手段と、該検出手段から入力される前記ロボット移動状態検出信号に基づき、前記ホイストを前記移動ロボットの移動と連携させて前記２軸方向に追従走行させるコントローラを備えてなることを特徴とする。
【００１６】
請求項１２記載の発明は請求項１１に加えて、前記ワイヤの長さを検出するワイヤ長さ検出手段を設け、前記コントローラは該検出手段から入力される前記ワイヤ長さ検出信号に基づき前記ホイストと移動ロボットとの相対位置が所定量以内になるように前記ワイヤ長さを調整するように構成されてなる。
【００１７】
かかる発明によれば、移動ロボットとワイヤを介して連携移動せしめられるホイストをコントローラによって前記移動ロボットの移動検出信号に基づきあるいは予め設定された移動ロボットの移動設定信号に基づき該移動ロボットの移動に追従させて２軸方向に走行させる、具体的には請求項３のように移動ロボットの位置検出信号に基づきホイストを該ホイストと移動ロボットとの相対位置が所定量以内になるように走行せしめ、あるいは請求項４のように移動ロボットをカメラにより撮像した撮像信号に基づきホイストを該ホイストと移動ロボットとの相対位置が所定量以内になるように走行せしめ、あるいは請求項５のように移動ロボットの移動マップを予め設定して移動ロボット及びホイストを該移動マップに設定された移動ルートに従い移動せしめる。
【００１８】
従ってかかる発明によれば、移動ロボットと該移動ロボットにワイヤを介して連結されたホイストとを、該移動ロボットの移動検出信号あるいは移動ロボットの移動設定信号に基づきコントローラによって該ホイストを移動ロボットの移動に追従させて２軸方向に走行させあるいはワイヤ長さを調整することにより、該移動ロボットに転倒が発生せずかつ移動ロボットに無用な外力が作用することのない適正な相対位置関係を保持して、人為的操作を一切必要とすることなく自動的に連携移動せしめることができる。
また移動ロボットの移動路に階段等の上下段差がある場合にも移動ロボットとホイストとを連結しているワイヤ自体の長さ及び張力調整を容易にできるため、移動ロボットは転倒することなく段差移動をスムーズに行うことができる。
【００１９】
また請求項６記載の発明は、移動ロボットの上部を、該移動ロボットの上方に設置された走行レールに沿って走行するホイストに繰り出し巻き取り自在に巻回されたワイヤの下端部に連結し、前記移動ロボットとホイストとが前記ワイヤを介して連携移動せしめるようにした移動ロボットの転倒防止方法において、前記移動ロボットを２軸方向に移動せしめ、該移動ロボットの移動状態検知信号あるいは前記ワイヤの張力状態検知信号に基づき該移動ロボットの転倒の有無を判定することを特徴とする。
【００２０】
請求項７ないし１０記載の発明は請求項６における移動ロボットの具体的制御方法に係り、請求項７においては前記移動ロボットの傾斜角を検出し、該傾斜角検出値と予め設定された傾斜角許容値とを比較し、該傾斜角検出値が傾斜角許容値を超えるとき前記移動ロボットの転倒の判定を行う。
【００２１】
請求項８においては、前記移動ロボットをカメラにより撮像し、この撮像信号に基づき前記移動ロボットと前記ホイストとの位置ずれ量の時間変化率を算出し、該位置ずれ量時間変化率の算出値が予め設定された位置ずれ量時間変化率の許容値を超えるとき前記移動ロボットの転倒の判定をなす。
【００２２】
請求項９においては、前記ワイヤの張力を検出し、該ワイヤ張力の検出値と予め設定されたワイヤ張力の許容値とを比較し、該ワイヤ張力検出値がワイヤ張力許容値を超えるとき前記移動ロボットの転倒の判定をなす。
【００２３】
請求項１０においては、前記移動ロボットの移動加速度を検出し、該移動加速度の検出値と予め設定された移動加速度の許容値とを比較し、該移動加速度検出値が移動加速度許容値を超えるとき前記移動ロボットの転倒の判定をなす。
【００２４】
請求項１３記載の発明は、請求項６〜１０の方法を実施する装置の発明に係り、移動ロボットの上部を、該移動ロボットの上方に設置された走行レールに沿って走行するホイストに繰り出し巻き取り自在に巻回されたワイヤの下端部に連結し、前記移動ロボットとホイストとが前記ワイヤを介して連携移動せしめるように構成された移動ロボットの転倒防止装置において、前記移動ロボットの移動状態を検出するロボット移動状態検出手段と、該検出手段から入力される前記ロボット移動状態検出信号と予め設定された前記移動ロボットの転倒条件とを突き合わせて該移動状態の検出信号が該転倒条件を満足したとき前記移動ロボットの転倒の判定を行うコントローラを備えてなることを特徴とする。
【００２５】
請求項６〜１０及び請求項１３記載の発明によれば、移動ロボットとワイヤを介して連携移動せしめられるホイストを、コントローラによって該移動ロボットの転倒を確認あるいは予知し得る検知信号即ち移動ロボットの移動状態検知信号あるいはワイヤの張力状態検知信号に基づき移動ロボットの転倒の有無を判定する。
即ち、具体的には請求項７のように移動ロボットの傾斜角検出値が傾斜角許容値を超えるとき移動ロボットの転倒の判定を行い、請求項８のように移動ロボットのカメラによる撮像信号に基づく移動ロボットとホイストとの位置ずれ量時間変化率の算出値が該位置ずれ量時間変化率の許容値を超えるとき移動ロボットの転倒の判定を行い、請求項９のように該ワイヤ張力検出値がワイヤ張力許容値を超えるとき移動ロボットの転倒の判定を行い、請求項１０のように移動ロボットの移動加速度検出値が移動加速度許容値を超えるとき移動ロボットの転倒の判定を行う。
【００２６】
従ってかかる発明によれば、該移動ロボットの転倒の有無あるいは転倒可能性を自動的にかつ随時確実に検知することができ、移動ロボットの転倒の際における復元措置あるいは移動試験の中止を的確に行うことができる。また移動ロボットの転倒可能性を検知可能であるので、移動ロボットとホイストとの連携移動操作及びワイヤの長さ調整等の移動ロボットの転倒防止措置を迅速に行うことができる。
【００２７】
【発明の実施の形態】
以下、本発明を図に示した実施例を用いて詳細に説明する。但し、この実施例に記載されている構成部品の寸法、材質、形状、その相対配置などは特に特定的な記載がない限り、この発明の範囲をそれのみに限定する趣旨ではなく、単なる説明例にすぎない。
【００２８】
図１は本発明の実施例に係るクローラ式移動ロボットの転倒防止装置の全体構成図である。図２は前記実施例における移動ロボット及びホイストの移動制御の第１例を示す制御ブロック図、図３は前記実施例における移動ロボット及びホイストの移動制御の第２例を示す制御ブロック図、図４は前記実施例における移動ロボット及びホイストの移動制御の第３例を示す制御ブロック図である。図５は前記実施例における移動ロボット及びホイストの転倒判定制御の第１例を示す制御ブロック図、図６は前記実施例における移動ロボット及びホイストの転倒判定制御の第２例を示す制御ブロック図、図７は前記実施例における移動ロボット及びホイストの転倒判定制御の第３例を示す制御ブロック図、図８は前記実施例における移動ロボット及びホイストの転倒判定制御の第４例を示す制御ブロック図である。
【００２９】
全体構成を示す図１において、２は走行部にクローラ２ａを備えた移動ロボットである。４、４ａは互いに直交するように配設された走行レールで、該走行レール４はその両端下部に取り付けられた転輪４ｂを介して走行レール４ａ上を該走行レール４ａの方向（Ｙ方向）と直交する方向（Ｘ方向）に移動可能となっている。
１はホイストで、これの上部に装着された転輪１ａを介して前記走行レール４上を該走行レール４の方向（Ｘ方向）に移動可能となっている。３は前記ホイスト１繰り出し巻き取り可能に巻回されたワイヤでその下端部が前記移動ロボット２の上部に取り付けられた吊具６に連結されている。
【００３０】
８は前記ホイスト１の本体部に取り付けられたホイスト制御ボックスで、後述するコントローラ５から制御回線８ａを介して伝送される制御操作信号を受けて該ホイスト１を駆動操作するホイスト駆動装置８１及び、前記ワイヤ３の繰り出し量を調整してワイヤ張力を制御するワイヤ繰出し量調整装置８２が収納されている。
９は前記移動ロボット２の本体部に取り付けられたロボット制御ボックスで、後述するコントローラ５から制御回線９ａを介して伝送される制御操作信号を受けて該移動ロボット２を駆動操作するロボット駆動装置９１が収納されている。５はコントローラで、後述する各センサからの検出信号及び該コントローラ５内に設定された設定信号に基づき算出した制御操作信号を前記ホイスト制御ボックス８内のホイスト駆動装置８１、ワイヤ繰り出し量調整装置８２及びロボット制御ボックス９内のロボット駆動装置９１に出力するものである。本コントローラ５は、ホイスト１に搭載することも可能で、搭載した場合、ケーブル（８ａ、９ａ等）が不要になり、ケーブルとの干渉に起因するトラブル（操作者やロボットの転倒や破損など）を回避できる。
尚、前記コントローラ５を前記ホイスト制御ボックス８内のホイスト駆動装置８１及びワイヤ繰り出し量調整装置８２の制御用とし、前記ロボット制御ボックス９内のロボット駆動装置９１の制御用として別個のコントローラ０５（０５ａは制御回線）を設けることもできる。
【００３１】
１２は前記移動ロボット２の上面に取り付けられて該移動ロボット２の位置を検出するロボット位置センサで、該ロボット位置センサ１２からの移動ロボット２位置の検出信号は検出回線１２ａを介して前記コントローラ５に入力される。１３は前記移動ロボット２の上面または側面に取り付けられて該移動ロボット２の傾斜角を検出する傾斜角センサで、該傾斜角センサ１３からの移動ロボット２傾斜角の検出信号は検出回線１３ａを介して前記コントローラ５に入力される。
１４は前記移動ロボット２の側面または上面に取り付けられて該移動ロボット２の移動加速度を検出する加速度センサで、該加速度センサ１４からの移動ロボット２の移動加速度の検出信号は検出回線１４ａを介して前記コントローラ５に入力される。
【００３２】
１０は前記ホイスト１の側部または下部に取り付けられたカメラ、１１は前記移動ロボット２の上面に固着されたターゲットで、該カメラ１０によるターゲット１１位置つまり移動ロボット２位置の撮像信号は検出回線１０ａを介して前記コントローラ５に入力される。
１５は前記ホイスト１の本体部に取り付けられてホイスト１の位置を検出するホイスト位置センサで、該ホイスト位置センサ１５からのホイスト１の位置検出信号は検出回線１５ａを介して前記コントローラ５に入力される。
７は前記ワイヤ３の中間部に取り付けられ該ワイヤ３の張力を検出するワイヤ張力センサで、該ワイヤ張力センサ７からのワイヤ張力の検出信号は検出回線７ａを介して前記コントローラ５に入力される。
【００３３】
次に、かかる構成からなる移動ロボットの転倒防止装置の動作を説明する。
先ず、図２に示す移動ロボット移動制御の第１の手段において、前記ロボット位置センサ１２からの移動ロボット２位置の検出信号及びホイスト位置センサ１５からのホイスト１の位置検出信号は前記コントローラ５の位置ずれ量算出部５１に入力される。該位置ずれ量算出部５１においては、前記２つの検出信号に基づき前記ホイスト１と記移動ロボット２との位置ずれ量を算出してホイスト移動条件算出部５２及びワイヤ張力調整値算出部５３に入力する。
【００３４】
該ホイスト移動条件算出部５２においては、前記位置ずれ量が適正値つまり前記ホイスト１が前記移動ロボット２の真上に位置し得るような位置ずれ量の許容値内になるような前記ホイスト１の移動量（つまり両者の相対位置）を算出して前記ホイスト制御ボックス８内のホイスト駆動装置８１に伝送する。そして該ホイスト駆動装置８１はホイスト１を前記移動量だけ移動せしめ、これにより該ホイスト１は前記位置ずれ量が許容値内になるような適正位置に移動せしめられる。
また、ワイヤ張力調整値算出部５３においては、移動ロボット２が転倒しない範囲になるようなワイヤ３張力の調整値を算出してホイスト制御ボックス８内のワイヤ繰り出し量調整装置８２に伝送する。そして該ワイヤ繰り出し量調整装置８２は前記ホイスト１のワイヤ繰り出し量を前記調整値に設定する。
以上の動作により、移動ロボット２とホイスト１とは適正な相対位置を保持し、移動ロボット２が転倒しない範囲のワイヤ張力で以って相対移動せしめられる。
【００３５】
図３に示す移動ロボット移動制御の第２の手段において、前記カメラ１０によるターゲット１１位置つまり移動ロボット２位置の撮像信号はコントローラ５の画像処理装置５４に入力され、該画像処理装置５４において電気信号（変位信号）に処理されてロボット位置ずれ量算出部５５に入力される。
該位置ずれ量算出部５５においては、前記画像処理装置５４からの変位信号に基づき前記ホイスト１と記移動ロボット２との位置ずれ量を算出してホイスト移動条件算出部５２及びワイヤ張力調整値算出部５３に入力する。
該ホイスト移動条件算出部５２及びワイヤ張力調整値算出部５３以後の動作は、図２に示す第１の手段と同様である。
【００３６】
図４に示す移動ロボット移動制御の第３の手段において、前記コントローラ５内のロボット移動マップ設定部６２には前記移動ロボット２の移動マップが予め設定されている。該コントローラ５は前記移動マップデータを前記ホイスト制御ボックス８内のホイスト駆動装置８１及びロボット制御ボックス９内のロボット移動装置９１に伝送する。
そして該ホイスト駆動装置８１及びロボット移動装置９１は、前記ホイスト１及び移動ロボット２を前記移動マップに設定された移動ルートに従い相関連させて移動せしめる。
以上の動作により、移動ロボット２とホイスト１とは適正な相対位置を保持し、移動ロボット２が転倒しない範囲のワイヤ張力で以って相対移動せしめられる。
【００３７】
かかる移動ロボット移動制御の第１〜３の手段によれば、移動ロボット２とワイヤ３を介して連携移動せしめられるホイスト１をコントローラ５によって前記移動ロボット２の移動検出信号に基づきあるいは移動マップに設定された移動ルートに基づき該移動ロボットの移動に追従させて２軸方向に走行させ、あるいはワイヤ３の長さを調整することにより、該移動ロボット２に転倒が発生せずかつ該移動ロボット２に無用な外力が作用することのない適正な相対位置関係を保持して移動ロボット２をホイスト１に連携移動せしめることができる。
【００３８】
次に、図５に示すように移動ロボット転倒有無判定制御の第１の手段において、前記傾斜角センサ１３からの移動ロボット２傾斜角の検出信号は前記コントローラ５の転倒有無判定部５７に入力される。
５６は許容傾斜角設定部で、前記移動ロボット２の転倒限界の傾斜角つまり傾斜角許容値が設定されている。該転倒有無判定部５７においては、前記傾斜角センサ１３からの移動ロボット２の傾斜角検出値を許容傾斜角設定部５６に設定された傾斜角許容値と比較し、前記傾斜角検出値が傾斜角許容値を超えるとき移動ロボット２の転倒の判定を行い、転倒調整部５８に入力する。
【００３９】
該転倒調整部５８においては、前記転倒有無判定部５７において移動ロボット２の転倒の判定がなされたときには、移動ロボット２の移動試験を中止する。
また、転倒有無判定部５７において転倒に近い状態にあることが検知されたときには、転倒調整部５８においては、前記ホイスト駆動装置８１にホイスト１の修正移動動作を指令し、あるいはロボット移動装置９１に移動ロボット２の修正移動動作を指令し、あるいはワイヤ繰り出し量調整装置８２にワイヤ繰り出し量の修正動作を指令する。
かかるホイスト１及び移動ロボット２の修正移動動作並びにワイヤ繰り出し量の修正動作により、移動ロボット２の転倒が回避され、正常な作動が継続される。
【００４０】
図６に示す移動ロボット転倒有無判定制御の第２の手段において、前記カメラ１０によるターゲット１１位置つまり移動ロボット２位置の撮像信号はコントローラ５の画像処理装置５４に入力され、該画像処理装置５４において電気信号（変位信号）に処理されてロボット位置ずれ変化率算出部５９に入力される。
該位置ずれ変化率算出部５９においては、前記画像処理装置５４からの変位信号に基づき前記ホイスト１と記移動ロボット２との位置ずれ量を算出し、さらに該位置ずれ量を時間で微分して位置ずれ量の時間変化率つまり移動ロボット２とホイスト１とが遠ざかる時間的割合を算出し、転倒有無判定部５７に入力する。
【００４１】
６０は許容位置ずれ変化率設定部で、前記ホイスト１と記移動ロボット２との間の位置ずれ量時間変化率の許容値、つまり前記移動ロボット２の転倒限界の位置ずれ量変化率が設定されている。
前記転倒有無判定部５７においては、前記位置ずれ量変化率の検出値と位置ずれ量時間変化率の許容値とを比較し、前記位置ずれ量変化率検出値が位置ずれ量変化率許容値を超えるとき移動ロボット２の転倒の判定を行い、転倒調整部５８に入力する。
該転倒調整部５８以後の動作は、図５における第１の手段と同様である。
【００４２】
図７に示す移動ロボット転倒有無判定制御の第３の手段において、前記ワイヤ張力センサ７からのワイヤ張力の検出信号はコントローラ５の転倒有無判定部５７に入力される。６１は許容ワイヤ張力設定部で、ワイヤ張力の許容値つまり前記移動ロボット２の転倒限界のワイヤ張力が設定されている。
前記転倒有無判定部５７においては、前記ワイヤ張力の検出値とワイヤ張力の許容値とを比較し、該ワイヤ張力検出値がワイヤ張力許容値位置を超えるとき移動ロボット２の転倒の判定を行い、転倒調整部５８に入力する。
該転倒調整部５８以後の動作は、図５における第１の手段と同様である。
【００４３】
図８に示す移動ロボット転倒有無判定制御の第４の手段において、加速度センサ１４からの移動ロボット２移動加速度の検出信号は前記コントローラ５の転倒有無判定部５７に入力される。６３は許容加速度設定部で、移動ロボット２移動加速度の許容値つまり前記移動ロボット２の転倒限界となる移動加速度が設定されている。
前記転倒有無判定部５７においては、前記移動加速度の検出値と移動加速度の許容値とを比較し、該移動加速度の検出値が移動加速度の許容値を超えるとき移動ロボット２の転倒の判定を行い、転倒調整部５８に入力する。
該転倒調整部５８以後の動作は、図５における第１の手段と同様である。
【００４４】
かかる移動ロボット転倒有無判定制御の第１〜第４の手段によれば、移動ロボット２とワイヤ３を介して連携移動せしめられるホイスト１を、コントローラ５によって該移動ロボット２の転倒を確認あるいは予知し得る検知信号即ち移動ロボット２の移動状態検知信号あるいはワイヤ３の張力状態検知信号に基づき該移動ロボットの転倒の有無を判定するので、該移動ロボット２の転倒の有無あるいは転倒可能性を自動的にかつ随時確実に検知することができ、移動ロボット２の転倒の際における復元措置あるいは移動試験の中止を的確に行うことができる。本発明は前記クローラ走行ロボットに限らず、２足歩行ロボット、車輪走行ロボット等、ロボットとホイストとがワイヤを介して連携移動せしめるようにした移動ロボットに広く適用できる。
【００４５】
【発明の効果】
以上記載の如く請求項１〜５及び請求項１１〜１２の発明によれば、移動ロボットと該移動ロボットにワイヤを介して連結されたホイストとを、該移動ロボットの移動検出信号あるいは移動ロボットの移動設定信号に基づきコントローラによって該ホイストを移動ロボットの移動に追従させて２軸方向に走行させあるいはワイヤ長さを調整することにより、該移動ロボットに転倒が発生せずかつ移動ロボットに無用な外力が作用することのない適正な相対位置関係を保持して、人為的操作を一切必要とすることなく自動的に連携移動せしめることができる。
また移動ロボットの移動路に階段等の上下段差がある場合にも移動ロボットとホイストとを連結しているワイヤ自体の長さ及び張力調整を容易にできるため、移動ロボットはワイヤに引っ張られることで転倒することなく段差移動をスムーズに行うことができる。
【００４６】
また請求項６〜１０及び請求項１３の発明によれば、移動ロボットとワイヤを介して連携移動せしめられるホイストを、コントローラによって該移動ロボットの転倒を確認あるいは予知し得る検知信号即ち移動ロボットの移動状態検知信号あるいはワイヤの張力状態検知信号に基づき移動ロボットの転倒の有無を判定するので、該移動ロボットの転倒の有無あるいは転倒可能性を自動的にかつ随時確実に検知することができ、移動ロボットの転倒の際における復元措置あるいは移動試験の中止を的確に行うことができる。また移動ロボットの転倒可能性を検知可能であるので、移動ロボットとホイストとの連携移動操作及びワイヤの長さ調整等の移動ロボットの転倒防止措置を迅速に行うことができる。
【図面の簡単な説明】
【図１】本発明の実施例に係るクローラ式移動ロボットの転倒防止装置の全体構成図である。
【図２】前記実施例における移動ロボット及びホイストの移動制御の第１例を示す制御ブロック図である。
【図３】前記実施例における移動ロボット及びホイストの移動制御の第２例を示す制御ブロック図である。
【図４】前記実施例における移動ロボット及びホイストの移動制御の第３例を示す制御ブロック図である。
【図５】前記実施例における移動ロボット及びホイストの転倒判定制御の第１例を示す制御ブロック図である。
【図６】前記実施例における移動ロボット及びホイストの転倒判定制御の第２例を示す制御ブロック図である。
【図７】前記実施例における移動ロボット及びホイストの転倒判定制御の第３例を示す制御ブロック図である。
【図８】前記実施例における移動ロボット及びホイストの転倒判定制御の第４例を示す制御ブロック図である。
【図９】従来技術を示す図１対応図である。
【符号の説明】
１　ホイスト
２　移動ロボット
３　ワイヤ
４、４ａ　走行レール
５、０５　コントローラ
７　ワイヤ張力センサ
８　ホイスト制御ボックス
９　ロボット制御ボックス
１０　カメラ
１２　ロボット位置センサ
１３　傾斜角センサ
１４　加速度センサ
１５　ホイスト位置センサ
５１　位置ずれ量算出部
５２　ホイスト移動条件算出部
５３　ワイヤ張力調整値算出部
５６　許容傾斜角設定部
５７　転倒有無判定部
５８　転倒調整部
５９　ロボット位置ずれ変化率算出部
６０　許容位置ずれ変化率設定部
６２　ロボット移動マップ設定部
６３　許容加速度設定部
８１　ホイスト駆動装置
８２　ワイヤ繰出し量調整装置
９１　ロボット駆動装置
【図１】
2004090126.tif 000003
【図２】
2004090126.tif 000004
【図３】
2004090126.tif 000005
【図４】
2004090126.tif 000006
【図５】
2004090126.tif 000007
【図６】
2004090126.tif 000008
【図７】
2004090126.tif 000009
【図８】
2004090126.tif 000010
【図９】
2004090126.tif 000011